(57)【要約】【課題】免震性能を備えつつ、施工性（工期短縮）の向上、コストダウンを可能にした免震建物を提供する。【解決手段】上部構造体Ｂ１と下部構造体Ｂ２の間に、免震装置３を介設して免震層４を形成してなる免震建物Ｂであって、上部構造体Ｂ１が外周柱６を主要柱とした外殻架構形式で構築されており、外周柱６と下部構造体Ｂ２の間に免震装置３を介設して免震層４を形成する。【選択図】図１
2015078521.tif 000002
【特許請求の範囲】
【請求項１】
上部構造体と下部構造体の間に、免震装置を介設して免震層を形成してなる免震建物であって、
前記上部構造体が外周柱を主要柱とした外殻架構形式で構築されており、
前記外周柱と前記下部構造体の間に免震装置を介設して免震層が形成されていることを特徴とする免震建物。
【発明の詳細な説明】
【技術分野】
【０００１】
本発明は、免震建物に関する。
【背景技術】
【０００２】
従来、例えばオフィスビルなどの中・高層の免震建物は、建物本体と基礎の間など、上部構造体と下部構造体の間に積層ゴムなどの免震装置を介設し、地震時に、上部構造体の固有周期を例えば地震動の卓越周期帯域から長周期側にずらし、応答加速度を小さくして揺れを抑えるように構築されている（例えば、特許文献１参照）。
【０００３】
また、一般に、この種の免震建物Ａは、図８及び図９に示すように、地盤Ｇを掘り下げて免震ピット（地下ピット）１を形成するとともにその底部にマットスラブ（下部構造体）Ａ２を形成する。そして、免震ピット１上に構築される建物本体（上部構造体）Ａ１の外周部や内部の柱２とマットスラブＡ２の間に免震装置３を介設し、マットスラブＡ２と建物本体Ａ１との間に免震層４を設けて構築される。なお、マットスラブＡ２と建物本体Ａ１にそれぞれ端部を接続して制振ダンパー５を設け、制振性能を付与する場合もある。
【先行技術文献】
【特許文献】
【０００４】
【特許文献１】特開２００９−９７２４３号公報
【発明の概要】
【発明が解決しようとする課題】
【０００５】
しかしながら、上記従来の免震建物Ａにおいては、上部構造体Ａ１の外周部と内部の柱２と下部構造体Ｂ２の間に免震装置３を介設して免震層４を構築するようにしているため、例えば、図９（及び図８）に示したように平面視で建物本体（上部構造体Ｂ１）の全体を包含する広い範囲に対し、地盤Ｇを掘削し、コンクリートを打設してマットスラブ（下部構造体Ｂ２）を形成する必要がある。これにより、一般に、従来の耐震構造建物、制振建物と比較してその施工に多大な労力を要するとともに建設コストが多く必要になる。
【０００６】
本発明は、上記事情に鑑み、免震性能を備えつつ、施工性（工期短縮）の向上、コストダウンを可能にした免震建物を提供することを目的とする。
【課題を解決するための手段】
【０００７】
上記の目的を達するために、この発明は以下の手段を提供している。
【０００８】
本発明の免震建物は、上部構造体と下部構造体の間に、免震装置を介設して免震層を形成してなる免震建物であって、前記上部構造体が外周柱を主要柱とした外殻架構形式で構築されており、前記外周柱と前記下部構造体の間に免震装置を介設して免震層が形成されていることを特徴とする。
【発明の効果】
【０００９】
本発明の免震建物においては、建物外周部のみに免震層を設けるようにすることができ、従来の免震建物と比較し、例えば、下部構造体をマットスラブ（基礎スラブ）とした場合、地盤掘削量及びマットスラブのコンクリート打設量を大幅に削減して構築することができ、工期短縮、コストダウンを図ることが可能になる。
【図面の簡単な説明】
【００１０】
【図１】本発明の一実施形態に係る免震建物を示す側断面図である。
【図２】本発明の一実施形態に係る免震建物を示す平断面図であり、図１のＸ１−Ｘ１線矢視図である。
【図３】本発明の一実施形態に係る免震建物の外周部柱をＲＣ造とした場合の免震層（免震装置の接合部）の構成例を示す図である。
【図４】本発明の一実施形態に係る免震建物の外周部柱をＳ造（ＳＲＣ造）とした場合の免震層（免震装置の接合部）の構成例を示す図である。
【図５】図４のＸ１−Ｘ１線矢視図である。
【図６】図４のＸ２−Ｘ２線矢視図である。
【図７】本発明の一実施形態に係る免震建物の変更例を示す側断面図である。
【図８】従来の免震建物の変更例を示す側断面図である。
【図９】従来の免震建物を示す平断面図であり、図８のＸ１−Ｘ１線矢視図である。
【発明を実施するための形態】
【００１１】
以下、図１から図６を参照し、本発明の一実施形態に係る免震建物について説明する。
【００１２】
本実施形態の免震建物Ｂは、例えばオフィスビルなどの中・高層建物であり、図１及び図２に示すように、上部構造体Ｂ１と下部構造体Ｂ２の間に、免震装置３を介設して免震層４を備えて構築されている。また、本実施形態では、上部構造体Ｂ１が複数階層からなる建物本体であり、梁や柱、スラブ、外壁などを備え、下部構造体Ｂ２がマットスラブ（基礎底版）を備えて構成されている。
【００１３】
一方、本実施形態の免震建物Ｂにおいては、上部構造体Ｂ１の建物本体が外殻架構形式で構築されている。すなわち、この免震建物Ｂは、内部柱がなく（あるいは内部柱が少なく）、外周柱６のみで柱（主要柱）が構成されている架構形式で構築されている。これにより、建物本体Ｂ１は、内部に柱がない（あるいは柱が少ない）ことで大空間を備えるものとして構築されている。
【００１４】
そして、このような本実施形態の免震建物Ｂの免震層４は、外周柱６が設置される建物外周部範囲にのみ形成されている。すなわち、本実施形態の免震建物Ｂでは、建物外周部の地盤Ｇを掘り下げて、建物外周部に沿う免震溝を形成するとともにこの免震溝の底部にコンクリートを打設してマットスラブ（下部構造体）Ｂ２を形成する。また、免震溝で囲まれた建物本体Ａ１の内部側の地盤Ｇ上には土間コンクリート７が打設形成される。そして、建物本体（上部構造体）Ａ１の外周柱６とマットスラブＢ２の間に免震装置３を介設し、建物外周部に設けたマットスラブＢ２と建物本体Ｂ１との間にのみ免震層４を設けて免震建物Ｂを構築する。なお、マットスラブＢ２と建物本体Ｂ１にそれぞれ端部を接続して制振ダンパー５を設け、制振性能を付与するようにしてもよい。
【００１５】
これにより、本実施形態の免震建物Ｂにおいては、建物外周部のみに免震層４を設けるようにしているため、従来の免震建物Ａと比較し、地盤掘削量及びマットスラブのコンクリート打設量を大幅に削減して構築することができ、工期短縮、コストダウンを図ることが可能になる。
【００１６】
ここで、図３に示すように、外周柱６をＲＣ造（鉄筋コンクリート造）とした場合には、マットスラブＢ２上及び外周柱６の下端にそれぞれ固設されたコンクリート製の免震基礎８、９に、アンカーボルト１０等を用いて免震装置３の上部と下部を固着し、免震装置３とマットスラブ（下部構造体Ｂ２）、免震装置３と外周柱６（上部構造体Ｂ１）を接合する。
【００１７】
一方で、上記のように外周柱６をＲＣ造とした場合には、接合部耐力をアンカーボルト周りのコンクリートせん断耐力で決定することが多く、アンカーボルト１０の定着長さを長くし、これを十分に確保することが必要になる。これにより、一般に、アンカーボルト１０としてＭ３０以上の大型で高コストのものを使用することが必要になる。また、免震基礎９、１０の配筋も密集し、アンカーボルト１０との納まりやコンクリートの充填性などの点で、施工の難易度が高くなる傾向にある。
【００１８】
これに対し、図４から図６に示すように、外周柱６をＳＲＣ造（鉄骨鉄筋コンクリート造）やＳ造（鉄骨造）とした場合には、柱中心にＨ形鋼の鉄骨柱６ａが存在する。そして、このＨ形鋼の鉄骨柱６ａを免震装置３の上端まで延長し、エンドプレート１１を溶接接合するとともにこのエンドプレート１１を介して免震装置３の上部と鉄骨柱６ａ（上部構造体Ｂ１）を高力ボルト接合する。また、マットスラブＢ２上に固設されたコンクリート製の免震基礎８に、アンカーボルト１０等を用いて免震装置３の下部を固着し、免震装置３とマットスラブ（下部構造体）Ｂ２を接合する。
【００１９】
上記のように外周柱６をＳＲＣ造（またはＳ造）とした場合には、接合部耐力をボルトのすべり耐力で確保することができるため、アンカーボルト１０を使用する場合と比較し、１本当たりの耐力が大きくなり、効率が良い。また、高力ボルト１２は安価であるため、低コスト化を図ることもできる。さらに、鉄筋との取り合いもシンプルになるため、外周柱６をＲＣ造とした場合と比較し、納まりやコンクリートの充填性などの点で、容易に施工を行うことが可能になる。
【００２０】
以上、本発明に係る免震建物の一実施形態について説明したが、本発明は上記の一実施形態に限定されるものではなく、その趣旨を逸脱しない範囲で適宜変更可能である。
【００２１】
例えば、本実施形態では、本発明に係る上部構造体Ｂ１が建物本体で、下部構造体Ｂ２がマットスラブであるものとして説明を行ったが、図７に示すように、免震層４を免震建物Ｂの中間層に設け、上部構造体Ｂ１と下部構造体Ｂ２を建物本体とした免震建物に本発明を適用してもよい。そして、この場合には、例えば図７の破線Ｓで示した部分など、免震層４以下の下部構造体Ｂ２の構造プランに対して、外周柱位置以外に影響がなく、設計の自由度を広げる効果を得ることができる。
【符号の説明】
【００２２】
１      免震ピット
２      柱
３      免震装置
４      免震層
５      制振ダンパー
６      外周柱
６ａ    鉄骨柱
７      土間コンクリート
８      免震基礎
９      免震基礎
１０    アンカーボルト
１１    エンドプレート
Ａ      従来の免震建物
Ａ１    従来の免震建物の上部構造体（建物本体）
Ａ２    従来の免震建物の下部構造体（マットスラブ）
Ｂ      免震建物
Ｂ１    免震建物の上部構造体（建物本体）
Ｂ２    免震建物の下部構造体（マットスラブ）
Ｇ      地盤
【図１】
2015078521.tif 000003
【図２】
2015078521.tif 000004
【図３】
2015078521.tif 000005
【図４】
2015078521.tif 000006
【図５】
2015078521.tif 000007
【図６】
2015078521.tif 000008
【図７】
2015078521.tif 000009
【図８】
2015078521.tif 000010
【図９】
2015078521.tif 000011